(57)【要約】【課題】電池特性の低下を抑制でき、さらに長期的な信頼性も向上すると共に、電池パックの誤装着なども防止することが可能な電池パックを提供する。【解決手段】本発明の電池パック（７００）は、周辺に溶着部が設けられた矩形状のラミネートフィルム外装材によって外装され、前記ラミネートフィルム外装材から引き出された正極引き出しタブと負極引き出しタブとを有する電池セルと、前記電池セルを１つのみ収容する収容部を有するケース（３００）と、からなる電池パックであって、前記収容部は、前記ラミネートフィルム外装材の外周縁より広く、前記ケース（３００）内には、前記ラミネートフィルム外装材の前記溶着部が間に配されるように対向する対向突起が設けられ、前記ケース（３００）外には、２つの持ち手（３１０、３２０）部が設けられ、前記２つの持ち手部にはそれぞれ異なる凹凸パターン（３１５、３２５）が設けられることを特徴とする。【選択図】図６
2016204011.tif 000002
【特許請求の範囲】
【請求項１】
周辺に溶着部が設けられた矩形状のラミネートフィルム外装材によって外装され、前記ラミネートフィルム外装材から引き出された正極引き出しタブと負極引き出しタブとを有する電池セルと、
前記電池セルを１つのみ収容する収容部を有するケースと、からなる電池パックであって、
前記収容部は、前記ラミネートフィルム外装材の外周縁より広く、
前記ケース内には、前記ラミネートフィルム外装材の前記溶着部が間に配されるように対向する対向突起が設けられ、
前記ケース外には、２つの持ち手部が設けられ、前記２つの持ち手部にはそれぞれ異なる凹凸パターンが設けられることを特徴とする電池パック。
【請求項２】
少なくとも前記ラミネートフィルム外装材の対向する２つの辺の前記溶着部に対応して、前記対向突起が設けられることを特徴とする請求項１に記載の電池パック。
【請求項３】
前記ケース内には、前記正極引き出しタブと前記負極引き出しタブが接続される基板が固定されることを特徴とする請求項１又は請求項２に記載の電池パック。
【請求項４】
前記基板と前記電池セルとの間に吸液部材が配されることを特徴とする請求項３に記載の電池パック。
【請求項５】
前記ケースの一方の側面には第１ガイド溝が設けられ、
前記一方の側面と対向する他方の側面には第２ガイド溝が設けられており、
前記第１ガイド溝と前記第２ガイド溝の長さは異なることを特徴とする請求項１乃至請求項４のいずれか１項に記載の電池パック。
【請求項６】
前記第１ガイド溝と前記第２ガイド溝は、前記ケースの厚さ方向の中心線からずらされて配されることを特徴とする請求項５に記載の電池パック。
【発明の詳細な説明】
【技術分野】
【０００１】
本発明は、リチウムイオン二次電池などの電池セルが収容された電池パックに関する。
【背景技術】
【０００２】
一次電池や二次電池を搭載した電池パックは、携帯電話、デジタルカメラ、ラップトップコンピュータなどのポータブル機器の小型の電源としてはもちろん、電動カートや小型設備等の簡易的なバックアップ電源などの中型の電源や、車両や家庭用の大型電源としても広く普及している。電池パックは、一次電池や二次電池などの電池と、保護回路などを含む回路基板とを容器内に収容したものである。容器の内部に搭載する電池として、高エネルギー密度で軽量なリチウムイオン電池が用いられることが多くなっている。なかでも、外装材として、厚さが数十ミクロンから数百ミクロン程度の可撓性のアルミニウムシートと樹脂とからなるラミネートフィルムを用いたラミネート電池は特に軽量で、様々な用途への活用が期待されている。【０００３】
ここで、可撓性のラミネートフィルムを外装材に用いた電池は軽量化に優れる一方で、肉厚の大きな金属板を外装材とした角型電池や円筒型電池に比べると強度が低く、外部からの衝撃に弱いという課題を有する。【０００４】
また、電池パックが接続される側の機器で必要とする電池容量などが大きくなると、必然的に電池を複数接続して使用する必要がある。電池パック内に複数のラミネート型電池を収容する場合、積層方向に積み重ねるか、外装ケースの内面に平行に並べて配置することになる。ラミネート電池は円筒型の電池に比べて大きな面積を持つので、接続先となる機器や車両に搭載する場所に応じたケース形状を設計するのは容易ではなかった。【０００５】
１つのラミネート電池を容器内に収容する電池パックとしては特許文献１（特開２００２−２４５９９９号公報）で提案されており、電池パックを接続するものとして特許文献２（特表２０１０−５０４６２２号公報）が提案されている。
【特許文献１】特開２００２−２４５９９９号公報
【特許文献２】特表２０１０−５０４６２２号公報
【発明の概要】
【発明が解決しようとする課題】
【０００６】
特許文献１には、ラミネートフィルムを外装体とした電池において、ラミネートの接着部をケースの余剰領域に収納した電池が記載されている。特許文献１の技術は、ラミネートの接着部を折り曲げるなどして余剰領域に収納されるものであるが、ラミネートの接着部を折り曲げると、折り曲げた部分の接着部やラミネート材に応力が集中するため、封止性が低下する可能性や、電池としてのサイクル特性などが低下する可能性があるなど、長期的な性能維持の観点で好ましくない、という問題があった。【０００７】
また、特許文献１には、機器へ取り付ける際の誤挿入防止用の凸部が設けられているが、凸部の位置は目視で確認せざるを得ず、また具体的にどのように誤挿入を防止するのかは記載されておらず、電池パックの脱着の作業性や確実性については十分な対策が採られているとは言えない、という問題もあった。【０００８】
特許文献２には、セルをカートリッジに配置して、カートリッジの側面同士を結合する技術が記載されているが、カートリッジの結合数を増やすたびに電池パックとしての面積が大きくなるなど、配置に自由度が少なく、機器へ接続する際の設置場所に大きなスペースが必要となり好ましくない。【０００９】
また、ラミネート電池の内部に積層型の電池要素を収納している場合、厚み方向への膨張収縮も生じやすく、電気特性が不安定になるおそれが、いずれの文献にも電池特性を安定させることについては配慮されていない。【００１０】
そこで、本発明は、１つのラミネート電池をケースに収納する電池パックにおいて、外部機器への取り付けの際に作業性がよく、安定的な電気特性を有し、長期的な信頼性に優れた電池を提供するものである。
【課題を解決するための手段】
【００１１】
本発明は、上記のような問題を解決するものであって、本発明に係る電池パックは、周辺に溶着部が設けられた矩形状のラミネートフィルム外装材によって外装され、前記ラミネートフィルム外装材から引き出された正極引き出しタブと負極引き出しタブとを有する電池セルと、前記電池セルを１つのみ収容する収容部を有するケースと、からなる電池パックであって、前記収容部は、前記ラミネートフィルム外装材の外周縁より広く、前記ケース内には、前記ラミネートフィルム外装材の前記溶着部が間に配されるように対向する対向突起が設けられ、前記ケース外には、２つの持ち手部が設けられ、前記２つの持ち手部にはそれぞれ異なる凹凸パターンが設けられることを特徴とする。【００１２】
また、本発明に係る電池パックは、少なくとも前記ラミネートフィルム外装材の対向する２つの辺の前記溶着部に対応して、前記対向突起が設けられることを特徴とする。【００１３】
また、本発明に係る電池パックは、前記ケース内には、前記正極引き出しタブと前記負極引き出しタブが接続される基板が固定されることを特徴とする。【００１４】
また、本発明に係る電池パックは、前記基板と前記電池セルとの間に吸液部材が配されることを特徴とする。【００１５】
また、本発明に係る電池パックは、前記ケースの一方の側面には第１ガイド溝が設けられ、前記一方の側面と対向する他方の側面には第２ガイド溝が設けられており、前記第１ガイド溝と前記第２ガイド溝の長さは異なることを特徴とする。【００１６】
また、本発明に係る電池パックは、前記第１ガイド溝と前記第２ガイド溝は、前記ケースの厚さ方向の中心線からずらされて配されることを特徴とする。
【発明の効果】
【００１７】
本発明に係る電池パックは、前記ケース内には、前記ラミネートフィルム外装材の前記溶着部が間に配されるように対向する対向突起が設けられ、前記ケース外には、２つの持ち手部が設けられ、前記２つの持ち手部にはそれぞれ異なる凹凸パターンが設けられるので、このような本発明に係る電池パックによれば、ラミネートフィルム外装材は折り曲げられることがなく、溶着部で封止性が低下することもなく、電池特性の低下を抑制でき、さらに長期的な信頼性も向上すると共に、電池パックの誤装着なども防止することが可能となる。
【図面の簡単な説明】
【００１８】
【図１】本発明の実施形態に係る電池パック７００に用いられる電池セル１００を示す図である。
【図２】本発明の実施形態に係る電池パック７００に用いられる基板２００を示す図である。
【図３】本発明の実施形態に係る電池パック７００に用いられる下ケース４００を示す図である。
【図４】本発明の実施形態に係る電池パック７００に用いられる上ケース５００を示す図である。
【図５】本発明の実施形態に係る電池パック７００の分解斜視図である。
【図６】本発明の実施形態に係る電池パック７００を各方向から見た図である。
【図７】本発明の実施形態に係る電池パック７００の斜視図である。
【図８】図６のＸ−Ｘ’断面を示す図である。
【図９】図６のＹ−Ｙ’断面を示す図である。
【図１０】本発明の実施形態に係る電池パック７００の一部の拡大図である。
【図１１】アタッチメント８００が装着された電池パック７００の斜視図である。
【図１２】本発明の実施形態に係る電池パック７００の着脱用スロットを備えた外部機器８３０の一例を示す図である。
【図１３】外部機器８３０における電池パック収容空間８３５に電池パック７００が正しく装着された場合を示している。
【図１４】外部機器８３０における電池パック収容空間８３５に電池パック７００が不正に装着された場合を示している。
【図１５】本発明の実施形態に係る電池パック７００を収容可能な電池パックホルダー８６０の一例を示す図である。
【発明を実施するための形態】
【００１９】
以下、本発明の実施の形態を図面を参照しつつ説明する。本発明の実施形態に係る電池パック７００に用いられる電池セル１００を示す図である。この電池セル１００としては、リチウムイオンが負極と正極とを移動することにより充放電が行われるリチウムイオン二次単位電池が用いられる。
【００２０】
電池セル１００の電池本体部１１０は、複数のシート状正極と複数のシート状負極とがセパレーターを介して積層された電極積層体、および電解液（いずれも図示しない）が、平面視で矩形のラミネートフィルム外装材１０３内に収容された構造となっている。そして、電池本体部１１０の第１端部１１１からは、正極引き出しタブ１２０及び負極引き出しタブ１３０が引き出されている。
【００２１】
正極引き出しタブ１２０及び負極引き出しタブ１３０は、いずれも平板状で、ラミネートフィルム外装材内において、それぞれ、シート状正極、シート状負極と直接またはリード体などを介して接続されている。ラミネートフィルム外装材１０３は、電池内側となる面に熱融着樹脂層を有する金属ラミネートフィルムにより構成されている。より具体的には、例えば２枚の金属ラミネートフィルムが重ねられてラミネートフィルム外装材１０３を構成し、シート状正極、シート状負極およびセパレーターを有する電極積層体や電解液を、内部に収容した状態でラミネートフィルム外装材の外周辺（第１端部１１１、第２端部１１２、２つの側端部１１３）が熱シールされることで、その内部が密閉されている。ラミネートフィルム外装材１０３における熱シールされた部分を、本明細書では、溶着部１１５とも表現する。
【００２２】
ここで、正極引き出しタブ１２０や負極引き出しタブ１３０などのラミネートフィルム外装材１０３よりなる電池本体部１１０から引き出される金属片は、「引き出しタブ」と称することとし、ラミネートフィルム外装材１０３の内側でセパレーターや電解液などを介して積層されているシート状正極やシート状負極を「電極」と称する。
【００２３】
なお、電極積層体には、上記のように複数のシート状正極と複数のシート状負極とがセパレーターを介して積層したものの他に、シート状正極とシート状負極とがセパレーターを介し積層したものを巻回し、これが圧縮されることにより積層体をなすものも含まれる。
【００２４】
上記のような電池セル１００においては、正極引き出しタブ１２０の材質としてはアルミニウムまたはアルミニウム合金が、また、負極引き出しタブ１３０の材質としては、ニッケル、他の金属にニッケルメッキを施した材料（ニッケルメッキ材。例えば、ニッケルメッキをした銅など）、ニッケルと他の金属のクラッド（ニッケルクラッド材。例えば、ニッケル−銅クラッドなど）が一般的に用いられている。すなわち、電池セル１００としては、アルミニウムを含む正極引き出しタブ１２０と、ニッケルを含む負極引き出しタブ１３０とを有する構成となっている。本実施形態においては、アルミニウム製の正極引き出しタブ１２０が、また、ニッケル製の負極引き出しタブ１３０がそれぞれ用いられている。
【００２５】
電池セル１００のアルミニウムを含む正極引き出しタブ１２０と、他の導電性金属を直接的に固着させる構成では、電位差の問題により所定の年月が経過した後の導電性が劣化する可能性がある。
【００２６】
そこで、本発明においては、電池セル１００の正極引き出しタブ１２０には、ニッケルを含む継ぎ足しタブ１２５を超音波溶着により接合しておき、電位差の問題による導電性劣化の問題を解決する。
【００２７】
このような継ぎ足しタブ１２５には、溶接片１２７が設けられており、溶接片１２７により基板２００の正極タブ接合部２４１と固着されて、電気接続が図られる。また、負極引き出しタブ１３０には、溶接片１３７が設けられており、この溶接片１３７溶接片１２７により基板２００の負極タブ接合部２４２と固着されて、電気接続が図られる。なお、図１における正極引き出しタブ１２０及び負極引き出しタブ１３０の点線で示されている箇所は、電池パック７００の製造工程で折り曲げられる箇所を示している。
【００２８】
次に、電池パック７００におけるバッテリーマネジメントユニットや、電池パック７０と外部機器との電気接続部などとして機能する基板２００について説明する。図２は本発明の実施形態に係る電池パック７００に用いられる基板２００を示す図である。図２（Ａ）は基板２００の斜視図であり、図２（Ｂ）は第１主面２１０側から、また、図２（Ｃ）は第２主面２２０側から基板２００を見た図である。
【００２９】
基板２００は、第１主面２１０と、この第１主面２１０と表裏の関係にある第２主面２２０とを有している。電池パック７００内では、基板２００の第１主面２１０は、外部側となるように、また、基板２００の第２主面２２０は、電池セル１００側となるように配されることとなる。
【００３０】
基板２００は、第１主面２１０と第２主面２２０と間は、不図示のスルーホールなどにより導電接続される。
【００３１】
基板２００の第２主面２２０には、継ぎ足しタブ１２５の溶接片１２７と固着され電気接続される正極タブ接合部２４１が設けられている。また、基板２００の第２主面２２０には、負極引き出しタブ１３０の溶接片１３７と固着され電気接続される負極タブ接合部２４２が設けられている。また、基板２００の第２主面２２０には、バッテリーマネジメントユニットを構成する各種の電子部品２４５が搭載されている。ここで、バッテリーマネジメントユニットの詳細な構成などについては省略する。
【００３２】
また、基板２００の第１主面２１０には、給電や充電のために外部機器と電気接続されるプラス外部端子２３１、及びマイナス外部端子２３２が設けられている。また、基板２００の第１主面２１０に設けられている信号出力端子２３３は、外部機器に対して電池パック７００内部に係る状態信号を出力するためなどに用いられる。ここで、信号出力端子２３３が出力する信号の詳細については省略する。
【００３３】
なお、本実施形態においては、第２主面２２０側に電子部品２４５を搭載する構成としたが、第１主面２１０側に電子部品２４５を搭載する構成としても構わない。ただし、その場合、電子部品２４５と、プラス外部端子２３１やマイナス外部端子２３２、或いは信号出力端子２３３との間の絶縁を十分に確保するように留意する必要がある。
【００３４】
次に、以上のような電池セル１００及び基板２００を収容するケース３００の構成について説明する。ケース３００は分離可能な下ケース４００と上ケース５００とからなっている。ケースの別を説明する際、「上」ケース、「下」ケースとして表しているが、電池パック７００の仕様態様によってこのような上下が生じるものではない。
【００３５】
本発明に係る電池パック７００を製造する際には、下ケース４００に各種部品を組み付けておき、最終的に上ケース５００でカバーを行う構成となっているために、「上」ケース、「下」ケースとしてケースの別を表している。
【００３６】
図３は本発明の実施形態に係る電池パック７００に用いられる下ケース４００を示す図である。
【００３７】
下ケース４００は樹脂材料などにより射出成型などにより製造されるものである。下ケース４００は底面部４１０と、底面部４１０の四方を囲うように底面部４１０から立設される側壁部４１１とを有しており、これにより電池セル１００や基板２００の収容部を構成している。
【００３８】
底面部４１０の面積は、電池セル１００のラミネートフィルム外装材１０３の外周縁より広く構成されている。したがって、電池セル１００の下ケース４００に収容されたときには、電池セル１００のラミネートフィルム外装材１０３の外周縁は、いずれの側壁部４１１とも接触することはない。
【００３９】
４つの側壁部４１１のうちの１つには、４つの切り欠き部４１３が設けられている。これらの切り欠き部４１３により、下ケース４００が上ケース５００と組み合わされたときに、開口部が構成される。
【００４０】
また、側壁部４１１には、複数の係合用突部４１５が設けられている。下ケース４００と上ケース５００とが組み合わされたときに、これら複数の係合用突部４１５が上ケース５００の複数の係合用孔部５１５に嵌入されることで、下ケース４００と上ケース５００とが一体化するようになっている。
【００４１】
底面部４１０には、対向突起４２１、対向突起４２２、対向突起４２３、対向突起４２４、対向突起４２５、対向突起４２６が立設されている。
【００４２】
下ケース４００の対向突起は、電池セルを収容して下ケース４００と上ケース５００とが組み合わされたときに、対向突起の位置に電池セル１００におけるラミネートフィルム外装材１０３の溶着部１１５が配されるようになっている。
【００４３】
また、底面部４１０には、２つの位置合わせ突起４３０が立設されている。この位置合わせ突起４３０は、電池セル１００を下ケース４００に組み付ける際に利用される。
【００４４】
また、底面部４１０には、第１の引き出しタブガイド突起４４０が立設されている。この第１の引き出しタブガイド突起４４０は、ラミネートフィルム外装材１０３から引き出されている正極引き出しタブ１２０や負極引き出しタブ１３０を、第１の引き出しタブガイド突起４４０に沿わせることで、下ケース４００の底面部４１０へとガイドするようになっている。
【００４５】
また、底面部４１０には、３つの基板固定片４５０が立設されている。基板２００は、これらの基板固定片４５０と側壁部４１１との間に挟み込むことによって、固定することができるようになっている。
【００４６】
次に、ケース３００の上ケース５００について説明する。図３は本発明の実施形態に係る電池パック７００に用いられる上ケース５００を示す図である。
【００４７】
上ケース５００は樹脂材料などにより射出成型などにより製造されるものである。上ケース５００は底面部５１０と、底面部５１０の四方を囲うように底面部５１０から立設される側壁部５１１とを有しており、これにより電池セル１００や基板２００の収容部を構成している。
【００４８】
底面部５１０の面積は、電池セル１００のラミネートフィルム外装材１０３の外周縁より広く構成されている。したがって、電池セル１００の上ケース５００に収容されたときには、電池セル１００のラミネートフィルム外装材１０３の外周縁は、いずれの側壁部５１１とも接触することはなく、振動等が加わっても側壁との接触等によって溶着部が折れ曲がることはない。
【００４９】
４つの側壁部５１１のうちの１つには、４つの切り欠き部５１３が設けられている。これらの切り欠き部５１３により、下ケース４００が上ケース５００と組み合わされたときに、開口部が構成される。
【００５０】
また、側壁部４１１には、複数の係合用孔部５１５が設けられている。下ケース４００と上ケース５００とが組み合わされたときに、これら複数の係合用孔部５１５に、下ケース４００の係合用突部４１５が嵌入されることで、下ケース４００と上ケース５００とが一体化するようになっている。上ケース４００を構成する材質は特に限定されるものではないが、下ケース５００と嵌合し、着脱可能となるように、弾性のある樹脂材料で構成されることが好ましい。
【００５１】
底面部５１０には、対向突起５２１、対向突起５２２、対向突起５２３、対向突起５２４、対向突起５２５、対向突起５２６が立設され、電池セル１００におけるラミネートフィルム外装材１０３の溶着部１１５が配されるようになっている。
【００５２】
下ケースおよび上ケースの対向突起は、ケース内における電池セル１００の位置決めと、ラミネートフィルム外装材１０３の溶着部１１５が電極積層領域の位置するラミネートフィルムの表面と略並行に形成した状態から、電極積層領域との境界や溶着部の途中から曲がらないようにするための折り曲げ防止との機能を備えた部位となっている。
【００５３】
また、底面部５１０には、第２の引き出しタブガイド突起５４０が立設されている。この第２の引き出しタブガイド突起５４０は、上ケースの対向突起よりも突出しており、対向するラミネートフィルム外装材１０３から引き出されている正極引き出しタブ１２０や負極引き出しタブ１３０が、下ケース４００の底面部側寄りを沿って配置されるようにガイドしている。
【００５４】
このように電池セル１００のラミネートフィルム外装材１０３から引き出されている正極引き出しタブ１２０や負極引き出しタブ１３０は、下ケース４００に沿って、基板２００に導かれるようになっている。
【００５５】
また、底面部５１０には、３つの基板固定片５５０が立設されている。基板２００は、これらの基板固定片５５０と側壁部５１１との間に挟み込むことによって、固定することができるようになっている。
【００５６】
次に、以上のような部品で構成される本発明の実施形態に係る電池パック７００について説明する。
【００５７】
図５は本発明の実施形態に係る電池パック７００の分解斜視図である。図５を参照して、電池パック７００の組み立て工程の概略を説明する。
【００５８】
電池セル１００の正極引き出しタブ１２０には継ぎ足しタブ部材１２５が継ぎ足され、継ぎ足しタブ部材１２５を含む正極引き出しタブ１２０や、負極引き出しタブ１３０は図５に示すように折り曲げ加工が施され、上ケース５００または下ケース４００の底面部に沿って引き出しタブが配置される。このようにすることで、外部から振動等を受けたときにも、基板２００のケース内面側に配置された電子部品と引き出しタブとが接触することを確実に避けることができる。
【００５９】
続いて、継ぎ足しタブ部材１２５の溶接片１２７が、基板２００の正極タブ接合部２４１に対して、溶接などで固着され導通が図られる。また、負極引き出しタブ１３０の溶接片１３７は、基板２００の負極引き出しタブ１３０に対して、溶接などで固着され導通が図られる。
【００６０】
上記のように、電池セル１００と基板２００とが一体化されると、続いて、電池セル１００を両面テープ６００によって下ケース４００に固着すると共に、基板２００を、基板固定片４５０と側壁部４１１との間に挟持する。
【００６１】
以上の工程で、下ケース４００への部品の組み付けが完了する。
【００６２】
続いて、電池セル１００に両面テープ６００を貼着し、上ケース５００を取り付ける。電池セル１００は、両面テープ６００によって上ケース５００に固着される。上ケース５００を取り付ける際には、基板２００が基板固定片５５０と側壁部５１１との間に挟み込まれるようにする。
【００６３】
以上の工程で、電池パック７００が完成する。
【００６４】
次に、以上のように組み立てられる本発明の実施形態に係る電池パック７００の特徴点について説明する。図６は本発明の実施形態に係る電池パック７００を各方向から見た図である。また、図７は本発明の実施形態に係る電池パック７００の斜視図である。
【００６５】
下ケース４００に電池セル１００や基板２００が組み付けられ、下ケース４００と上ケース５００とが一体化されてなる電池パック７００のケース３００の外観的特徴について説明する。
【００６６】
まず、図６（Ａ）の２つの正面図を参照する。下ケース４００と上ケース５００とが一体化されると、下ケース４００の切り欠き部４１３と、上ケース５００の切り欠き部５１３とが突き合わされ、ケース３００には、第１開口部３３１、第２開口部３３２、２つの第３開口部３３３が形成される。
【００６７】
第１開口部３３１からは基板２００のプラス外部端子２３１が露出し、第２開口部３３２からは基板２００のマイナス外部端子２３２が露出する。これらのプラス外部端子２３１やマイナス外部端子２３２を用いることで、電池パック７００からの給電、電池パック７００への充電が可能となる。
【００６８】
２つの第３開口部３３３には信号出力端子２３３が露出する。これらの信号出力端子２３３を利用することで、外部機器等に対して電池パック７００内部に係る状態を報知することが可能となる。
【００６９】
次に、図６（Ｄ）及び（Ｅ）の２つの側面図を参照する。電池パック７００のケース３００には、第１持ち手部３１０及び第２持ち手部３２０の２つの持ち手部（凹部）が設けられている。これにより、電池パック７００を取り扱う際に、落下させるような可能性を抑制でき、電池パック７００の取り扱い性が向上する。
【００７０】
また、第１持ち手部３１０には第１凹凸パターン３１５が、また、第２持ち手部３２０には、第１凹凸パターン３１５とは異なる第２凹凸パターン３２５が設けられている。
【００７１】
このようにそれぞれの持ち手部で、異なる凹凸パターンが設けられていると、電池パック７００を持ち手部で持ったときに、２つの持ち手部で異なる触覚を得ることとなる。これにより、極性を間違えて、電池パック７００を外部機器等に誤装着してしまうようなリスクを減らすことができるようになる。
【００７２】
本実施形態においては、第１凹凸パターン３１５としては、ケース３００の長手方向に垂直な方向に凹凸を繰り返すパターンが設けられている。また、第２凹凸パターン３２５としては、ケース３００の長手方向に凹凸を繰り返すパターンが設けられている。ただし、第１凹凸パターン３１５と第２凹凸パターン３２５としては、それぞれが異なるパターンで形成されていればよく、本実施形態の例に限定されるものではない。
【００７３】
例えば、第１凹凸パターン３１５と第２凹凸パターン３２５とで、凹凸パターンの凹凸周期を代えるようにしてもよい。また、第１凹凸パターン３１５と第２凹凸パターン３２５とで、凹凸パターンの凹部の長さ、凸部の長さを変更するようにしてもよい。
【００７４】
また、図６（Ｄ）及び（Ｅ）の２つの側面図を参照する。ケース３００の一方の側面には第１ガイド溝３４１が設けられ、ケース３００の他方の側面には第２ガイド溝３４２が設けられるようになっている。いずれのガイド溝もケース３００の長手方向に沿って設けられている。
【００７５】
これらの第１ガイド溝３４１、第２ガイド溝３４２は、電池パック７００を外部機器等に挿抜するような構造が採用された場合に、好適に用いることができる。
【００７６】
電池パック７００を外部機器等に挿抜する構造である場合には、外部機器等の内側２箇所に断面が凸状で、挿抜方向に沿った長手ガイド部材（不図示）を設けるようにする。そして、２つの長手ガイド部材が、それぞれ第１ガイド溝３４１、第２ガイド溝３４２の溝間を通るような構成とすることで、電池パック７００の外部機器等に対する挿抜を簡単で、正確に行うことができる。
【００７７】
また、図６（Ｄ）及び（Ｅ）に示すように、第１ガイド溝３４１と第２ガイド溝３４２は、ケース３００の厚さ方向の中心線からずらされて配されている。このように第１ガイド溝３４１と第２ガイド溝３４２とが設けられていると、２つの長手ガイド部材を設けた前述した構造においては、電池パック７００の向きが不正であると、電池パック７００の外部機器等への挿入ができなくなるようにすることができ、電池パック７００の誤装着などを防止することが可能となる。
【００７８】
次に、第１ガイド溝３４１と第２ガイド溝３４２との間の相違点について説明する。図６（Ｄ）及び（Ｅ）に示すように、第１ガイド溝３４１は、ケース３００の長手方向長さＡにわたって設けられている。一方、第２ガイド溝３４２は、ケース３００の長手方向長さＡ＋長さＢにわたって設けられている。このように、第１ガイド溝３４１と第２ガイド溝３４２の長さを異なるように設定することで、電池パック７００の誤装着などを防止することが可能となる。このような２つのガイド溝の長さなどの相違によって、電池パック７００の誤装着を行い得る理由については後述する。
【００７９】
次に、電池パック７００のケース３００内部における特徴点について説明する。まず、電池セル１００の引き出しタブがケース３００内部でどのように引き回されているかについて説明する。
【００８０】
図８は図６のＸ−Ｘ’断面を示す図である。この図では、ラミネートフィルム外装材１０３から引き出された負極引き出しタブ１３０がどのように基板２００まで引き回されるかを示している。図中、Ｗは負極引き出しタブ１３０と基板２００とが溶接により固着されている箇所を示している。
【００８１】
図８に示すように、下ケース４００の第１の引き出しタブガイド突起４４０は、ラミネートフィルム外装材１０３から引き出されている負極引き出しタブ１３０を、第１の引き出しタブガイド４４０に沿わせることで、下ケース４００の底面部４１０へとガイドする。さらに、上ケース５００の第２の引き出しタブガイド突起５４０は、負極引き出しタブ１３０を、下ケース４００の底面部４１０へとガイドするようになっている。このとき、第２の引き出しタブによって下ケースの底面部にタブを押圧してもよい。
【００８２】
上記のように、電池セル１００の引き出しタブが引き回されている、本発明に係る電池パック７００においては、正極、負極の引き出しタブ同士の短絡を、第２の引き出しタブガイド突起５４０によって防止することが可能となる。また、第２の引き出しタブガイド５４０によって、下ケース４００の底面部４１０に押圧した場合、引き出しタブは振動が抑制されるので、引き出しタブの断裂などリスクを抑制することが可能となる。
【００８３】
次に、電池パック７００のケース３００内において、ラミネートフィルム外装材１０３の溶着部１１５が対向突起対の間に配された場合の構成について検討する。
【００８４】
図９は図６のＹ−Ｙ’断面を示す図である。図９では、下ケース４００の対向突起４２２と、上ケース５００の対向突起５２２とが対向している場合の断面を模式的に示している。また、図９では、電池セル１００の２枚のラミネートフィルム外装材１０３が互いに溶着されている溶着部１１５が示されている。
【００８５】
対向突起４２２及び対向突起５２２からなる対向突起は、ケース３００内における電池セル１００の位置決めと、ラミネートフィルム外装材１０３の溶着部１１５の折り曲げ防止に役立つようになっている。以下、このために好適な設定について検討する。
【００８６】
ここで、対向突起５２２（又は対向突起４２２）の先端から、ラミネートフィルム外装材１０３の間のクリアランスをｃｌとする。また、１枚のラミネートフィルム外装材１０３の厚さをｔ、電池セル１００の厚さを２ｈとする。（図９参照）
以上のような設定のとき、０≦ｃｌ＜ｈ−ｔの範囲で、クリアランスｃｌを設定することが好ましい。実際の数値によれば、０［ｍｍ］≦ｃｌ＜１［ｍｍ］が好ましく、より好ましくは、０［ｍｍ］≦ｃｌ＜０．５［ｍｍ］である。
【００８７】
以上のような、本発明に係る電池パック７００は、ケース３００内には、ラミネートフィルム外装材１０３の溶着部１１５が間に配されるように対向する対向突起対が設けられ、また、ケース３００外には、２つの持ち手部が設けられ、前記２つの持ち手部にはそれぞれ異なる凹凸パターンが設けられるので、このような本発明に係る電池パック７００によれば、ラミネートフィルム外装材１０３は折り曲げられることがなく、溶着部１１５で封止性が低下することもなく、電池特性の低下を抑制でき、さらに長期的な信頼性も向上すると共に、電池パック７００の誤装着なども防止することが可能となる。
【００８８】
なお、ここでは、説明の便宜上、上ケース５００と下ケース４００の対向突起が対を成している場合を説明したが、対向突起同士は必ずしも対向している必要は無い。溶着部は一方向へは曲がりやすいが、ねじれを生じる可能性は小さいので、溶着部の一方向への変形を規制できれば、溶着部の位置する辺の上ケース５００と下ケース４００にそれぞれ１箇所以上突起があればよい。
【００８９】
次に、本発明の他の実施形態について説明する。これまで説明した電池パック７００においては、外部機器等と電気接続する際の端子は、第１開口部３３１から露出した基板２００上のプラス外部端子２３１と、第２開口部３３２から露出した基板２００上のマイナス外部端子２３２が用いられた。
【００９０】
プラス外部端子２３１やマイナス外部端子２３２は、基板２００上の金属膜からなる端子であるので、これらの端子と電気接続する外部機器側の端子には弾性を有するものを用いる必要があった。
【００９１】
しかしながら、外部機器側の端子に弾性を有するものを用いることができないような状況も考えられる。そこで、本実施形態においては、電池パック７００側に、プラス用弾性端子８１０及びマイナス用弾性端子８２０が設けられたアタッチメント８００を装着するようにしている。
【００９２】
図１０は本発明の実施形態に係る電池パック７００の一部の拡大図である。電池パック７００の２つの側面のそれぞれには、アタッチメント取り付け用凹部３５０が設けられており、これにアタッチメント８００の係止片（不図示）が嵌入することで、電池パック７００にアタッチメント８００が装着されるようになっている。図１１はアタッチメント８００が装着された電池パック７００の斜視図である。
【００９３】
アタッチメント８００には、アタッチメント８００が電池パック７００に装着されたとき、電池パック７００のプラス外部端子２３１と接触するプラス用弾性端子８１０と、電池パック７００のマイナス外部端子２３２と接触するマイナス用弾性端子８２０とが埋め込まれている。
【００９４】
プラス用弾性端子８１０やマイナス用弾性端子８２０は、いずれも、３本のピン型端子が用いられているが、ピン型端子の本数がこれに限定されるわけではない。ピン型端子には、バネ（不図示）が内蔵されており、ピン型端子のピンの軸方向に弾性を付与するようになっている。
【００９５】
このような実施形態によれば、先の実施形態と同様の効果を享受することが可能であると共に、弾性を持たない端子を有する外部機器等に対応することも可能となる。
【００９６】
次に、本発明に係る電池パック７００の実装形態について説明する。まず、電池パック７００を挿抜することで、外部機器に電池パック７００を着脱する実装形態について説明する。
【００９７】
図１２は本発明の実施形態に係る電池パック７００の着脱用スロットを備えた外部機器８３０の一例を示す図である。このような外部機器８３０はスロット開口部８４０を有しており、このスロット開口部８４０に電池パック７００を挿抜することで、外部機器に電池パック７００を着脱するようになっている。
【００９８】
着脱用スロットを備えた外部機器８３０において、電池パック７００の誤装着を防止するための構成について説明する。
【００９９】
図１３は外部機器８３０における電池パック収容空間８３５に電池パック７００が正しく装着された場合を示している。また、図１４は外部機器８３０における電池パック収容空間８３５に電池パック７００が不正に装着された場合を示している。
【０１００】
図１３において、一点鎖線は外部機器８３０のスロット内における電池パック７００を収容する空間である、電池パック収容空間８３５を示している。なお、電池パック７００の端子と接続される外部機器８３０側の端子などは図示省略している。
【０１０１】
電池パック収容空間８３５の両端に示されている点線は長手ガイド部材であり、一方の端部には、第１長手ガイド部材８４１が、また、他方の端部には第２長手ガイド部材８４２が設けられている。
【０１０２】
長手ガイド部材は、電池パック７００に設けられている第１ガイド溝３４１、第２ガイド溝３４２の溝間を通ることが想定されている。
【０１０３】
ここで、第１長手ガイド部材８４１の長さは、第２長手ガイド部材８４２の長さより短く、さらに、第１長手ガイド部材８４１はスロット開口部８４０に対して、図示するように奥側に配されるようになっている。
【０１０４】
以上のような構成の下、電池パック７００が正しくスロット開口部８４０に挿入された場合を図１３に基づいて説明する。この場合、第１長手ガイド部材８４１は電池パック７００の第１ガイド溝３４１の溝間を通り、第２長手ガイド部材８４２は電池パック７００の第２ガイド溝３４２の溝間を通り、電池パック７００を支障なく電池パック収容空間８３５内に挿入することが可能である。
【０１０５】
一方、電池パック７００が不正にスロット開口部８４０に挿入された場合を図１４に基づいて説明する。
【０１０６】
この場合、長い方の第２長手ガイド部材８４２が、電池パック７００の第１ガイド溝３４１の溝間を通り、図示するように電池パック７００を途中まで挿入することは可能であるが、電池パック７００の第１ガイド溝３４１が設けられている側面のガイド溝は短いので、第２長手ガイド部材８４２が電池パック７００の側面に衝突し、電池パック７００を電池パック収容空間８３５内に挿入することができなくなる。
【０１０７】
このように、本発明に係る電池パック７００においては、第１ガイド溝３４１と第２ガイド溝３４２の長さを異なるように設定することで、電池パック７００の誤装着などを防止することが可能となる。
【０１０８】
次に、本発明に係る電池パック７００の他の実装形態について説明する。図１５は本発明の実施形態に係る電池パック７００を収容可能な電池パックホルダー８６０の一例を示す図である。
【０１０９】
このような電池パックホルダー８６０は、折りたたみが可能な基材部８６１を有している。図１５の例では、電池パックホルダー８６０の基材部８６１が直角に折られている様子を示している。このような電池パックホルダー８６０によれば、種々の寸法の機器に電源を供給することが可能となる。
【０１１０】
本実施形態に係る電池パックホルダー８６０は、４つの電池パック７００を収容することができるようになっているが、電池パックホルダー８６０に収容する電池パック７００の数は任意である。
【０１１１】
基材部８６１の上方には、電池パック７００を挿通することができる外囲ホルダー部８６５が、また、基材部８６１の下方には、電池パック７００を受け止めるホルスター部８６３が設けられている。基材部８６１には、外囲ホルダー部８６５とホルスター部８６３に装着された電池パック７００の抜けを防止するためのカバー部８６７が設けられている。
【０１１２】
ホルスター部８６３には、電池パック７００のプラス外部端子２３１やマイナス外部端子２３２などと接触する端子（不図示）が設けられている。
【０１１３】
また、外囲ホルダー部８６５やホルスター部８６３の内側に、既に説明した電池パック７００のガイド溝の溝間を通る長手ガイド部材を設け、誤装着を防止するようにしてもよい。
【０１１４】
以上のような本実施形態に係る電池パックホルダー８６０によれば、様々な機器に対してフレキシブルに電源を供給することが可能となる。
【０１１５】
次に、本発明の他の実施形態について説明する。これまで説明してきたように、本発明に係る電池パック７００は様々の態様で実装することができるが、電池パック７００の中で、電池セル１００の正極引き出しタブ１２０や負極引き出しタブ１３０が下を向き、基板２００が下方となるような実装形態では、ラミネートフィルム外装材１０３から引き出しタブが引き出されている箇所に応力が集中することが考えられる。
【０１１６】
そこで、ラミネートフィルム外装材１０３が万が一破損し、電解液が電池セル１００から漏れたときの対策を施しておくことが好ましい。特に、基板２００が下方となるような実装形態では、基板２００が電解液によって汚損される可能性があるからである。
【０１１７】
そこで、本実施形態においては、電池パック７００内において、基板２００と電池セル１００との間に吸液部材を配するようにする。このような吸液部材のより詳細な配置場所であるが、図８のＰに示す場所や、Ｑに示す場所が適当である。いずれの場所に設ける場合にも、図８の紙面に垂直な方向に長手方向を有する直方体状の吸液部材を配し、基板２００と電池セル１００との間の隙間を無くすようにすることが好ましい。
【０１１８】
ここで、吸液部材は連通多孔質体からなり、各孔質体は１０〜２５０μｍｍの径を有している。また、吸液部材は１５０℃程度の温度においても使用できる耐熱性を有することが好ましい。吸液部材は単に難燃性材料であればよいというものではなく、流出する電解液を確実に吸収し、かつ吸収した電解液を液吸収材内にそのまま保持する特性を有している必要がある。このような多孔質体難燃性材料として、例えばバソテクト（株式会社イノアックコーポレーション製）を挙げることができる。
【０１１９】
以上のような実施形態によれば、電池パック７００内の基板２００が下方となるような電池パック７００の実装形態の場合においても、電池パック７００の信頼性を高めることができる。
【０１２０】
以上、本発明に係る電池パックは、前記ケース内には、前記ラミネートフィルム外装材の前記溶着部が間に配されるように対向する対向突起が設けられ、前記ケース外には、２つの持ち手部が設けられ、前記２つの持ち手部にはそれぞれ異なる凹凸パターンが設けられるので、このような本発明に係る電池パックによれば、ラミネートフィルム外装材は折り曲げられることがなく、溶着部で封止性が低下することもなく、電池特性の低下を抑制でき、さらに長期的な信頼性も向上すると共に、電池パックの誤装着なども防止することが可能となる。
【符号の説明】
【０１２１】
１００・・・電池セル
１０３・・・ラミネートフィルム外装材
１０５・・・電極積層領域
１１０・・・電池本体部
１１１・・・第１端部
１１２・・・第２端部
１１３・・・側端部
１１５・・・溶着部
１１９・・・面取り部
１２０・・・正極引き出しタブ
１２５・・・継ぎ足しタブ部材
１２７・・・溶接片
１３０・・・負極引き出しタブ
１３７・・・溶接片
２００・・・基板
２１０・・・第１主面
２２０・・・第２主面
２３１・・・プラス外部端子
２３２・・・マイナス外部端子
２３３・・・信号出力端子
２４１・・・正極タブ接合部
２４２・・・負極タブ接合部
２４５・・・電子部品
３００・・・ケース
３１０・・・第１持ち手部
３１５・・・第１凹凸パターン
３２０・・・第２持ち手部
３２５・・・第２凹凸パターン
３３１・・・第１開口部
３３２・・・第２開口部
３３３・・・第３開口部
３４１・・・第１ガイド溝
３４２・・・第２ガイド溝
３５０・・・アタッチメント取り付け用凹部
４００・・・下ケース
４１０・・・底面部
４１１・・・側壁部
４１３・・・切り欠き部
４１５・・・係合用突部
４２１・・・対向突起
４２２・・・対向突起
４２３・・・対向突起
４２４・・・対向突起
４２５・・・対向突起
４２６・・・対向突起
４３０・・・位置合わせ突起
４４０・・・第１の引き出しタブガイド突起
４５０・・・基板固定片
５００・・・上ケース
５１０・・・底面部
５１１・・・側壁部
５１３・・・切り欠き部
５１５・・・係合用孔部
５２１・・・対向突起
５２２・・・対向突起
５２３・・・対向突起
５２４・・・対向突起
５２５・・・対向突起
５２６・・・対向突起
５４０・・・第２の引き出しタブガイド突起
５５０・・・基板固定片
６００・・・両面テープ
７００・・・電池パック
８００・・・アタッチメント
８１０・・・プラス用弾性端子
８２０・・・マイナス用弾性端子
８３０・・・外部機器
８３５・・・電池パック収容空間
８４０・・・スロット開口部
８４１・・・第１長手ガイド部材
８４２・・・第２長手ガイド部材
８６０・・・電池パックホルダー
８６１・・・基材部
８６３・・・ホルスター部
８６５・・・外囲ホルダー部
８６７・・・カバー部
【図１】
2016204011.tif 000003
【図２】
2016204011.tif 000004
【図３】
2016204011.tif 000005
【図４】
2016204011.tif 000006
【図５】
2016204011.tif 000007
【図６】
2016204011.tif 000008
【図７】
2016204011.tif 000009
【図８】
2016204011.tif 000010
【図９】
2016204011.tif 000011
【図１０】
2016204011.tif 000012
【図１１】
2016204011.tif 000013
【図１２】
2016204011.tif 000014
【図１３】
2016204011.tif 000015
【図１４】
2016204011.tif 000016
【図１５】
2016204011.tif 000017
【国際調査報告】
2016204011.tif 000018
2016204011.tif 000019
2016204011.tif 000020
2016204011.tif 000021